(57)【要約】【課題】    大サイズから小サイズまでの複数のサイズの記録シートを収容時の姿を乱すことなく収容するとともに収容された記録シートを取り出し易くする。【解決手段】  排出口２０の下方に床から立ち上げられた小サイズ用収容部３１及び大サイズ用収容部３２を有している。大サイズ用収容部３２は小サイズ用収容部３１によって排出口から隔てられた位置に設けられ、小サイズ収容部３１の両側の上方に側方ガイドを有する。これにより、小サイズの記録シートはその重力により小サイズ用収容部３１に落とし込まれ、大サイズ記録シートの先端部は小サイズ用収容部の上を越えて側方ガイドに支持されながら大サイズ用収容部３２に落とし込まれる。したがって、駆動機構等を必要とせず簡単な構造で小サイズの記録シートと大サイズの記録シートとを分別してそれぞれの排紙収容部３に送り込むことができる。【選択図】  図１
2006219263.tif 000002
【特許請求の範囲】
【請求項１】
記録シート上に画像を形成し、排紙収容部に前記記録シートを収容する画像形成装置であって、
前記排紙収容部は、記録シートのサイズ別に少なくとも2つ以上の収容部と、
記録シートの幅を利用して各排紙収容部へ記録シートを分配するガイド部材を有することを特徴とする画像形成装置。
【請求項２】
前記ガイド部材は、小さいサイズの記録シートの全幅より大きな間隔をあけて設けられ、大きなサイズの記録シートを、その幅方向における両側部に当接して案内するものであることを特徴とする請求項１記載の画像形成装置。
【請求項３】
前記排紙収容部は、少なくとも用紙の一部を略垂直に保持する事を特徴とする請求項１記載の画像形成装置。
【請求項４】
前記排紙収容部は、サイズの小さいものから順に、記録シート排出部に近くなるように配置されたことを特徴とする請求項３記載の画像形成装置
【請求項５】
前記排紙収容部のうち、小さいサイズの用紙を収容する第1の排紙収容部は、
記録シートの全体を略垂直に収容し、
さらに収容された用紙を抑える弾性部材を設けることを特徴とする請求項３記載の画像形成装置。
【請求項６】
前記排紙収容部のうち、大きいサイズの用紙を収容する第２の排紙収容部は、記録シートを略L字型もしくは略U字型で収容することを特徴とする請求項３記載の画像形成装置。
【請求項７】
前記ガイド部材は、大きいサイズの記録シートが、小さいサイズの排紙収容部および収容された小さいサイズの記録シートの上方を通過するように形成されたことを特徴とする請求項3記載の画像形成装置。
【請求項８】
画像形成装置から排出される記録シートを収容する排紙収容装置であって、
記録シートのサイズ別に少なくとも2つ以上の収容部と、
記録シートの幅を利用して各排紙収容部へ記録シートを分配するガイド部材を有することを特徴とする排紙収容装置。
【発明の詳細な説明】
【技術分野】
【０００１】
本発明は、Ａ２サイズ以上の大サイズの記録シートからＡ４サイズ程度の小サイズの記録シートまで複数サイズの記録シートに画像を形成することができる画像形成装置に係り、特に、画像形成装置から排出された各種サイズの記録シートを収容する排紙収容部が小型でかつ簡単に構成されるとともに収容された記録シートを取り出しやすくなっている画像形成装置に関する。
【背景技術】
【０００２】
画像形成装置の普及にともない、大サイズから小サイズまでの各種サイズの記録シートを同一装置で使用できる画像形成装置が要求されている。このような装置では、それぞれのサイズの記録シートを収容できる排紙収容部を装備する必要があるが、大サイズの記録シートの収容を可能とするために排紙収容部が大型となり、画像形成装置の設置スペースも大きくなる。このような問題を解決するために、排紙を上下方向に収容する排紙収容部（垂直トレイ）が提案されており、これによって画像形成装置の設置スペースを小さくしようとしている。しかし、この垂直トレイに大サイズの排紙を収容するためにはトレイに十分な深さが必要となり、小サイズの記録シートをこのトレイに排出すると、トレイの深い位置に排紙が落ち込むこととなり、記録シートの収容時の姿が乱れやすく、低い位置から記録シートを取り出す必要があることから、取り出しが容易でないという問題が生じている。
【０００３】
このような問題点を解決しようとする排紙収容装置は、例えば特許文献１及び特許文献２に開示されている。
特許文献１に記載の装置は、図９に示すように、二つの排紙収容部１０１，１０２を有し、排出された記録シートのサイズに応じて収容先を切換ゲート１０３により切り替えるものである。つまり、大サイズの排紙を下方に落とし込む、いわゆる垂直トレイ１０１に収容されるが、小サイズの排紙は取り出しやすくするために水平トレイ１０２に収容されるものとなっている。
【０００４】
また、特許文献２に記載の装置では、排紙を落し込んで収容するトレイ（垂直トレイ）であって、小サイズの排紙を収容する底の浅い第１のトレイと大サイズの排紙を収容する底の深い第２のトレイを並設し、排紙のサイズに応じて第１又は第２のトレイを記録シートの排出口に移動させる。つまり、トレイ自体を駆動し、収容されるトレイを記録シートのサイズに応じて選択するものである。
【特許文献１】特開平５−３３０７１８号公報
【特許文献２】特開平８−４８４５４号公報
【発明の開示】
【発明が解決しようとする課題】
【０００５】
しかしながら、上記のような排紙収容装置を備えた画像形成装置では、なお次に述べるような解決が望まれる課題がある。
特許文献1に記載の装置では、図９に示すように、水平トレイ１０２が画像形成装置本体１０４の側面から水平に張り出すため、画像形成装置の設置スペースが大きくなる。また、大サイズの排紙を収容する垂直トレイ１０１とは別に水平トレイ１０２を装備する必要があり、さらに排紙のサイズに応じてトレイを選択する切換ゲート１０３が必要になる。このためコストが高くなるという問題がある。
【０００６】
一方、特許文献2に記載の装置においても、第1と第2の排紙トレイを記録シートのサイズに応じて排出口に移動させるため、駆動装置が必要でコストが高くなるという問題がある。
【０００７】
本発明は、上記のような問題点を解決するためになされたものであり、その目的は、小型で簡単な構成であるにもかかわらず、大サイズから小サイズまでの複数のサイズの記録シートを収容時の姿を乱すことがなく収容でき、収容された記録シートを取り出し易くした排紙収容装置及びこの排紙収容装置を備えた画像形成装置を提供することである。
【課題を解決するための手段】
【０００８】
上記問題点を解決するために、請求項１に記載の発明は、  記録シート上に画像を形成し、排紙収容部に前記記録シートを収容する画像形成装置であって、  前記排紙収容部は、記録シートのサイズ別に少なくとも2つ以上の収容部と、  記録シートの幅を利用して各排紙収容部へ記録シートを分配するガイド部材を有することを特徴とする画像形成装置を提供する。
【０００９】
請求項２に係る発明は、請求項１に記載の画像形成装置において、  前記ガイド部材は、小さいサイズの記録シートの全幅より大きな間隔をあけて配置され、大きなサイズの記録シートを、その幅方向における両側部に当接して案内するものとする。
【００１０】
請求項３に係る発明は、請求項１に記載の画像形成装置において、  前記排紙収容部は、少なくとも用紙の一部を略垂直に保持するものとする。
【００１１】
請求項４に係る発明は、請求項３に記載の画像形成装置において、  前記排紙収容部は、サイズの小さいものから順に、記録シート排出部に近くなるように配置されたものとする。
【００１２】
請求項５に係る発明は、請求項３に記載の画像形成装置において、  前記排紙収容部のうち、小さいサイズの用紙を収容する第1の排紙収容部は、記録シートの全体を略垂直に収容し、  さらに収容された用紙を押さえる弾性部材を設けるものとする。
【００１３】
請求項６に係る発明は、請求項３に記載の画像形成装置において、  前記排紙収容部のうち、大きいサイズの用紙を収容する第２の排紙収容部は、記録シートを略L字型もしくは略U字型で収容するものとする。
【００１４】
請求項７に係る発明は、請求項３に記載の画像形成装置において、  前記ガイド部材は、大きいサイズの記録シートが、小さいサイズの排紙収容部および収容された小さいサイズの記録シートの上方を通過するように形成されたものとする。
【００１５】
請求項８に係る発明は、  画像形成装置から排出される記録シートを収容する排紙収容装置であって、記録シートのサイズ別に少なくとも2つ以上の収容部と、  記録シートの幅を利用して各排紙収容部へ記録シートを分配するガイド部材を有する排紙収容装置を提供するものである。
【００１６】
上記のような画像形成装置では、ガイド部材によって大サイズの記録シートと小サイズの記録シートとに分けて収容部へ送り込まれる。つまり、記録シートの幅が異なることにより小サイズの記録シートはガイド部材の拘束を受けず、幅の大きい大サイズの記録シートは、ガイド部材に拘束されて案内される。これにより異なる収容部に分けて収容することができる。また、収容部を、サイズの小さいものから順に記録シート排出部に近くなるように配置しておくことにより、排出口から排出された小サイズの記録シートは、排出口のすぐ下に設けられた小サイズ用の収容部に落とし込まれ、上下方向に保持して収容される。一方、大サイズの記録シートが排出口から送り出されると、その側部がガイド部材に沿って案内される。このガイド部材は小サイズの収容部の両側の上方部に設けられていると、大サイズの記録シートはガイド部材に規制され、小サイズ用の収容部の上方を越えて搬送され、小サイズ用の収容部を越えた位置にある大サイズ用の収容部に案内される。
【００１７】
このように、小サイズの記録シートは、ガイド部材に規制されることなく、排出口近くの小サイズ用の収容部に送り込まれ、大サイズの記録シートは、用紙幅が大きいことによってガイド部材に規制され、大サイズ用の収容部に送り込まれる。したがって、駆動機構等は必要なく、簡単な構造で大サイズの記録シートと小サイズの記録シートとを分別し、異なる収容部に送り込むことができる。そして、小サイズ用の収容部は、小サイズの記録シートの収容に適した形状及び寸法とすることにより、排出された記録シートを揃えて収容することができ、取り出すことも容易となる。また、大サイズ用の収容部は大サイズの記録シートを収容するのに適した形状とすることができる。
【００１８】
また、排出口から排出された大サイズの記録シートは、その前方部がガイド部材に支持されながら小サイズ用の収容部を越えて、大サイズ用の収容部に落し込まれた状態で収容される。そして、先端が底部に到達すると下方への移動が拘束され、記録シートの後方部は排出口から送り出される力によって排出口から離れる方向つまり外側に押し出される。大サイズ用の収容部は、外側に先端から落とし込まれた記録シートを拘束する部材を有していると、外側に押し出された記録シートの後方部は、この外側の部材上に掛け回される。その後、記録シートの後方端が搬送ローラの拘束から解放されると、外側に張り出した記録シートの重量により外側の部材の外側に垂下される。
【００１９】
したがって、大サイズ用の収容部に収容された大サイズの記録シートもその姿を乱すことなく収容される。そして、次々に大サイズの記録シートが排出されても、後続の記録シートは同様に挙動し、先に排出された記録シート上に重ね合わせて外側の部材に掛け回され、きれいに揃えられた状態で保持される。また、大サイズ用の収容部は、大サイズの記録シートを外側へ掛け回して垂下するように保持するので、排紙収容部の小型化が図れるとともに画像形成装置の設置スペースを小さくすることができる。
【発明の効果】
【００２０】
以上説明したように、本願発明に係る画像形成装置及び排紙収容装置では、駆動機構等を必要とせず、簡単な構造で小サイズの記録シートと大サイズの記録シートとを分別し、それぞれ小サイズ用の収容部及び大サイズ用の収容部に送り込むことができる。そして、小サイズ用の収容部では記録シートを上下方向に保持した状態で収容し、大サイズ用の収容部でも、外側の部材に掛け回すように保持することにより、小さなスペースで記録シートを収容することが可能となる。
【発明を実施するための最良の形態】
【００２１】
以下、本願に係る発明の実施の形態を図に基づいて説明する。
図１は、請求項１及び請求項２に係る発明の一実施形態である画像形成装置を示す概略構成図である。また、図２は、排出口から排出された記録シートを収容する排紙収容部の概要を示す斜視図であり、図３は、同じ排紙収容部の立面図である。
この画像形成装置は、電子写真方式によりデジタル画像信号に基づいて画像を形成する画像記録部１を備えており、その下方には収容している記録シートを画像記録部１に供給するシート供給部２を有している。そして、これらを収容するハウジングの後方側に、排出される記録シートを収容する排紙収容部３が設けられている。
【００２２】
上記画像記録部１は、一様帯電後に像光が照射されて表面に静電電位の差による潜像が形成される円筒状の感光体ドラム１１を備えており、この感光体ドラム１１の周囲に、感光体ドラム１１の表面を一様に帯電させる帯電装置１２と、感光体ドラム１１に像光を照射して表面に潜像を形成する露光装置１３と、感光体ドラム上の潜像にトナーを選択的に転移させてトナー像を形成する現像装置１４と、感光体ドラム１１上の形成されたトナー像を記録シートに転写する転写装置１５と、トナー像の転写後に感光体ドラム１１に残留するトナーを除去するクリーニング装置１６とを備えている。
【００２３】
また、感光体ドラムと転写装置１５とが対向する位置の上流側には、シート供給部２から記録シートを送り込む用紙搬送路１７が設けられており、転写装置１５の下流側には、記録シート上のトナー像を加熱溶融して記録シートに圧着する定着装置１８が設けられている。そして、定着装置１８の下流側にはトナー像が定着された記録シートを排紙収容部３へ送り出す排紙ローラ１９が設けられており、この排紙ローラ１９が記録シートを排出口２０へ導き、画像形成装置外へ排出するものとなっている。
【００２４】
上記感光体ドラム１１は、金属製ドラム表面にSe、a-Si、a-SiC、Cds等の各種無機感光材料、有機感光材料、アモルファスセレン系感光材料、アモルファスシリコン系感光材料等からなる感光体層を形成したものを用いることができる。
【００２５】
上記帯電装置１２は、ステンレススチール、アルミニウム等の導電性を有する金属のロールに高抵抗材料のコーティングを施したものであり、感光体ドラム１１に当接され、従動回転するようになっている。そして、所定の電圧が印加されることにより、該ロールと感光体ドラム１１との接触部近傍における微小間隙内で継続的な放電を生じ、感光体ドラム１１の表面をほぼ一様に帯電するものである。
【００２６】
露光装置１３は、画像信号に基づいて画素毎に点滅するＬＥＤが配列されたものであり、感光体ドラム１１の周面が周回移動するのにともなって点滅し、感光体ドラム１１の周面を画像信号に基づいて露光するものとなっている。これにより感光体ドラム１１の周面上で露光部の電位が減衰し、静電電位の差による潜像が形成される。
【００２７】
上記現像装置は、感光体ドラム１１と近接・対向する位置に生じている電界内で、潜像にトナーを転移して可視像を形成するものである。この現像装置で用いられるトナーは、バインダ樹脂に磁性分を混合した磁性トナーが用いられている。
【００２８】
上記定着装置１２は、加熱源を内蔵した加熱ロールと、この加熱ロールに圧接される加圧ロールとを備えており、これらが平行に配置されて互いに圧接されるニップ部を形成している。トナー像が転写された記録シートは、上記ニップ部に送り込まれ、回転駆動される加熱ロールと加圧ロールとの間で加熱されるとともに加圧され、溶融したトナーが記録シート上に圧着されるものとなっている。
【００２９】
上記画像記録部１の下方に設けられたシート供給部２には、上段２１にＡ２以上の大サイズに対応できるようなロール状の記録シート２８を収容するものとなっている。また、中段２２及び下段２３には、Ａ４やＡ３等の小サイズのカットシート２９を収容するシートトレイ２４，２５が設けられている。そして、シートトレイ２４，２５又はロールから引き出された記録シートを搬送する搬送路２６を備えており、この搬送路にロールから引き出された記録シートを適切な長さで切断するカッター２７が設けられている。
【００３０】
上記画像形成装置のハウジングの外側に設けられた排紙収容部３は、排出口から排出される各種サイズの記録シートを収容する小サイズ用収容部３１と大サイズ用収容部３２とを備えており、排出される記録シートのサイズに応じて各排紙収容部に収容される構造を有している。
これらの収容部は、画像形成装置の側面に設けられた台座３３から立ち上げられ、曲げ加工が施された棒状部材によって形成されており、記録シートの排出口２０の幅方向における中央部分の下方に小サイズ用収容部３１が設けられ、この小サイズ用収容部３１の外側つまり、画像形成装置のハウジング４０から離れた位置に大サイズ用収容部３２が形成されている。
【００３１】
図４は、図３中に示すＡ−Ａ線つまり、小サイズ用収容部が設けられた位置における断面図である。
小サイズ用収容部３１を形成する棒状部材３４は、台座３３から上方に立ち上げられ、途中で分岐して、互いに対峙するものとなっている。そして、小サイズの記録シート２９は対峙する棒状部材間に落とし込むようになっており、分岐した部分が、記録シートの先端（下端）が突き当てられる底部３４ａと、上下方向に収容された記録シートの表面と裏面とにそれぞれ対向して保持する小サイズ用保持部３４ｂ，３４ｃとなっている。また、分岐された棒状部材の一方３４ｂには、斜め下方に向け、対峙する他方の棒状部材３４ｃに先端が当接するように弾性部材５が取り付けられている。この弾性部材３５は、記録シート２９の進入を許容するように柔軟な部材で形成されており、収容された後の記録シートが他方の棒状部材３４ｃに沿って当接するように拘束するものとなっている。
上記のように構成された棒状部材３４は、図２及び図３に示すように、小サイズの記録シートの幅方向に複数の位置で記録シートを保持するように形成されており、これらが頂部で連続するものとなっている。
【００３２】
大サイズ用収容部３２は、図１及び図２に示すように、小サイズ用収容部３１によって画像形成装置のハウジング４０から隔てられた位置であって排出口２０の下方に設けられており、台座３３から画像形成装置のハウジング４０側に立ち上げられた内側保持部３６と、この外側で対峙するように立ち上げられた外側保持部３７とによって構成されている。
外側保持部３７は、排出される記録シートの幅方向に３つに分割して設けられ、それぞれは棒状部材を逆Ｕ字状に曲げ加工して下端部を台座３３に固定したものである。それぞれの上部３７ａは外側に曲折され、斜め下方へ突き出している。
内側保持部３６は、小サイズ用収容部３１を形成する棒状部材３４の両側部において、台座３３から立ち上げられた棒状部材で構成され、上記外側保持部３７と対向するように設けられている。そして、小サイズ用収容部３１を構成する棒状部材３４の外側面とハウジング４０の立面からの距離がほぼ同じとなるように位置が調整されており、小サイズ用収容部３１を構成する棒状部材３４の外側面とともに外側保持部３７との間に落とし込まれた大サイズの記録シートと対峙し、保持するものとなっている。また、記録シートの幅方向における小サイズ用収容部３１の両側に設けられ、内側保持部３６を構成する棒状部材の上部はハウジング４０側に曲折され、排出口２０の下から斜め下方に傾斜する側方ガイド（ガイド部材）３６ａとなっている。側方ガイド３６ａは、排出口２０から排出された大サイズの記録シートの両側部を下方から支持し、先端が小サイズ用収容部３１を越えて上記外側保持部３７と内側保持部３６との間に導かれるように傾斜角が調整されている。
【００３３】
次に、このような画像形成装置の動作について説明する。
操作者が入力した信号又は他の装置から入力された画像情報に基づき、画像を記録する媒体として小サイズの記録シートが選択されると、シートトレイ２４，２５から記録シートが引き出され、画像記録部１に送り込まれる。画像記録部１では感光体ドラム１１にトナー像が形成され、このトナー像が転写装置１５との対向部において記録シート上に転写され、定着装置１８を通過することによって加熱及び加圧され、定着画像となる。
【００３４】
トナー像が定着された小サイズの記録シート２９は、大サイズの記録シートに対応できる充分な幅を有する排出口２０のほぼ中央から排出ローラ１９により装置外に排出される。そして、図４に示すように、重力により記録シート２９の先端は下方へ垂れ下がり、排出口２０のすぐ下方に設けられている小サイズ用収容部３１に落とし込まれる。このとき、小サイズの記録シート２９は、小サイズ用収容部３１の両側に設けられた側方ガイド３６ａにまでは及ばず、側方ガイド３６ａに規制されることなく小サイズ用収容部３１に導かれる。小サイズ用収容部３１内では、記録シート２９の先端が底部に突き当てられるとともに、分岐した一方の棒状部材３４ｂつまり画像形成装置側の棒状部材に取り付けられた弾性部材３５により、分岐した他方の棒状部材３４ｃに押し付けられ、この棒状部材３４ｃに沿った位置で保持される。さらに後方から小サイズの記録シートが順次に送り込まれてくると、先に収容された記録シートの裏面側に後続の記録シートが収容され、整然と重ね合わされて収容される。したがって、複数の記録シートは画像が形成された順序どおりに揃えて重ね合わされる。
【００３５】
このように小サイズ用収容部３１内で保持される記録シートは、小サイズの記録シートを適切に収容することができる位置に底部３４ａが設けられていることによって、下方にまで落とし込まれることはなく、取り出しやすい高さに保持される。また、収容部が棒状部材３４によって形成されているので、その上部だけでなく側部及び背部が開放され、収容された記録シートを容易に取り出すことができる。
なお、この実施の形態では、棒状部材を使用して収容部が構成されているが、棒状の部材に代えて合成樹脂板で構成してもよい。これによりＡ４以下のサイズの記録シート、例えば葉書等の収容も可能となる。また、透明の合成樹脂板を使用することにより、記録シートの収容された姿を視認することができ、排紙の確認及び取り出しが容易となる。
【００３６】
一方、大サイズの記録シート２８が選択されると、ロールから記録シートが引き出され、画像記録部１に送り込まれる。そして、小サイズの記録シートと同様にトナー像の形成、転写及び定着が行われる。このとき、トナー像が転写可能な長さに送り出された記録シートは、用紙搬送路１７入口の可動ガイド部でカットループが形成され、カッター２７によって適切な長さに切断される。
【００３７】
トナー像が転写された大サイズの記録シート２８は、図５に示すように、排紙ローラ１９により排出口２０から装置外に送り出され、先端はその重量により下方へ垂れ下がる。このとき、送り出された記録シート２８の両側部は、小サイズ用収容部３１の両側に設けられた側方ガイド３６ａに規制され、傾斜した側方ガイド３６ａに沿って小サイズ用収容部３１の上方を越えて外側に搬送される。そして、大サイズ収容部３２を構成する外側保持部３７と内側保持部３６との間に先端が落とし込まれる。
【００３８】
大サイズ用収容部３２に送り込まれた記録シートの先端は、底部すなわち棒状部材が立設されている台座３３に突き当てられ、これより下方への移動が拘束される。しかし、大サイズの記録シートはこの収容部に収まりきらず、その後方部はまだ画像形成装置内にあり、排紙ローラ１９から送り出されている。これにより、図６に示すように大サイズ用収容部３２内への移動が規制された中間部２８ａが大サイズ用収容部３２の上方でループ状となり、外側保持部３７より外側に押し出される。そして、後端が排紙ローラ１９を通過し、排紙ローラ１９の拘束から解放されると、外側保持部３７の外側へ張り出した部分３７ａ上にある記録シートの重量で後方部分２８ｂが外側に滑り落ち、図７に示すように外側保持部３７の外側へ垂下される。これにより外側保持部３７に掛け回すように支持され、大きなスペースを占めることなく大サイズの記録シート２８が収容され、取り出すのも容易となる。また、大サイズの記録シートへの画像出力を複数枚続けて行う場合にも、図８に示すように、後続の記録シートは同様に挙動し、外側保持部３７上に掛け回されて、先に排出された記録シートと揃えて重ね合わされる。このとき後続の記録シートは、表面を下側にして掛け回された先の記録シート上に掛け回されるので、これらの記録シートは画像が形成された順序に従って重ね合わされるものとなる。
【図面の簡単な説明】
【００３９】
【図１】請求項１又は請求項２に係る発明の一実施形態である画像形成装置を示す概略構成図である。
【図２】図１に示す画像形成装置の概略斜視図である。
【図３】図１に示す画像形成装置の排紙収容部が設けられた背面を示す立面図である。
【図４】図１に示す画像形成装置において、小サイズの記録シートを小サイズ用収容部に導く状態を示す概略側面図である。
【図５】図１に示す画像形成装置において、大サイズの記録シートを大サイズ用収容部に導く状態を示す概略側面図である。
【図６】図１に示す画像形成装置において、大サイズの記録シートを大サイズ用収容部に収容するときの挙動を示す概略側面図である。
【図７】図１に示す画像形成装置において、大サイズの記録シートを大サイズ用収容部に収容した姿を示す概略側面図である。
【図８】図１に示す画像形成装置において、複数枚の大サイズの記録シートを大サイズ用収容部に収容する状態を示す概略側面図である。
【図９】従来の排紙収容装置を示す概略構成図である。
【符号の説明】
【００４０】
１：画像記録部、    ２：シート供給部、    ３：排紙収容部、
１１：感光体ドラム、    １２：帯電装置、    １３：露光装置、    １４：現像装置、    １５：転写装置、    １６：クリーニング装置、    １７：用紙搬送路、    １８：定着装置、    １９：排紙ローラ、    ２０：排出口、
２１：シート供給部の上段、    ２２：シート供給部の中段、    ２３：シート供給部の下段、    ２４，２５：シートトレイ、    ２６：搬送路、    ２７：カッター、    ２８：ロール状の記録シート、    ２９：カットシート、
３１：小サイズ収容部、    ３２：大サイズ収容部、    ３３：台座、    ３４：小サイズ用収容部を形成する棒状部材、    ３５：弾性部材、    ３６：内側保持部、    ３６ａ：側方ガイド（ガイド部材）、    ３７：外側保持部、    ４０：画像形成装置のハウジング
【図１】
2006219263.tif 000003
【図２】
2006219263.tif 000004
【図３】
2006219263.tif 000005
【図４】
2006219263.tif 000006
【図５】
2006219263.tif 000007
【図６】
2006219263.tif 000008
【図７】
2006219263.tif 000009
【図８】
2006219263.tif 000010
【図９】
2006219263.tif 000011